(57)【要約】 【課題】手術に先立っての消毒および、その後の設定が簡単に行える内視鏡装置及び手術ベッドサイド用補助カメラ装置を提供するものである。【解決手段】前面が耐熱ガラス２にて気密的に覆われ、耐蝕耐熱金属素材で形成された筐体１内にカメラ３を収納して、カメラ３より連出されたケーブル６を気密的に導出すると共に、このケーブル６の外周を耐蝕耐熱外皮７で覆い、このケーブル６先端に設けられたコネクタ８を気密的なキャップ９で着脱自在に覆ったことにより、所期の目的を達成することができた。【選択図】図１
0003144971.tif 000002
【実用新案登録請求の範囲】
【請求項１】
前面が耐熱ガラス２にて気密的に覆われ、耐蝕耐熱金属素材で形成された筐体１内にカメラ３を収納して、カメラ３より連出されたケーブル６を気密的に導出すると共に、このケーブル６の外周を耐蝕耐熱外皮７で覆い、このケーブル６先端に設けられたコネクタ８を気密的なキャップ９で着脱自在に覆って成る内視鏡装置。
【請求項２】
前面が耐熱ガラス２にて気密的に覆われ、耐蝕耐熱金属素材で形成された筐体１内にカメラ３を収納して、この筐体１を手術ベッド４近傍に装着されるアーム５に保持するようにし、カメラ３より連出されたケーブル６を気密的に導出すると共に、このケーブル６の外周を耐蝕耐熱外皮７で覆い、このケーブル６先端に設けられたコネクタ８を気密的なキャップ９で着脱自在に覆って成る手術ベッドサイド用補助カメラ装置。
【考案の詳細な説明】
【技術分野】
【０００１】
本考案は、手術ベッドに付設して映像を伝達もしくは記録するための内視鏡装置及び手術ベッドサイド用補助カメラ装置の改良に関する。
【背景技術】
【０００２】
現在、医療ミスが起きた場合、或いはその疑いがある場合、カルテの記載によって手術等の経過を立証しようしているが、それでは不十分なので、ビデオ動画を記録して客観的な視覚、聴覚に基づく客観的な記録をしたいという傾向が見られる。或いは、手術の細かい部位を多くの医師等が見ながら手術を進める場合もある。
【０００３】
そして従来から天井などの上部から全体を撮影することは行われているが、それでは手術の詳細が記録されず、学術的な価値、或いは手術の医療過誤の判断情報としての価値が低いので、手術部分を撮像したものが併せて記録されつつある。その場合には手術ベッドの側部適所、付属架台等に設置されたアームにカメラを保持している。そして、これらの手術ベッドに装着される機器は総て消毒されるため、それに耐えるように、信号線、電源線をアーム内に挿通されているが、それらの消毒液に触れないような構造にする必要があり、構造が複雑で、全体としては大型であるため、消毒に際しては分解し、使用時は消毒後の多くの部品を組み立てる必要があって、扱い難い上に高価になってしまう欠点があった。
【特許文献１】特開平８−２０６０５９号公報
【特許文献２】特開２００３−７０８０３号公報
【考案の開示】
【考案が解決しようとする課題】
【０００４】
そこで本考案は、手術に先立っての過酷な条件下の消毒に耐えることができ、また消毒後の使用に当たっての設定が簡単に行える内視鏡装置及び手術ベッドサイド用補助カメラ装置を提供するものである。
【課題を解決するための手段】
【０００５】
本考案の主たる特徴は、前面が耐熱ガラス２にて気密的に覆われ、耐蝕耐熱金属素材で形成された筐体１内にカメラ３を収納して、カメラ３より連出されたケーブル６を気密的に導出すると共に、このケーブル６の外周を耐蝕耐熱外皮７で覆い、このケーブル６先端に設けられたコネクタ８を気密的なキャップ９で着脱自在に覆ったことであり、第２の特徴は、前面が耐熱ガラス２にて気密的に覆われ、耐蝕耐熱金属素材で形成された筐体１内にカメラ３を収納して、この筐体１を手術ベッド４近傍に装着されるアーム５に保持するようにし、カメラ３より連出されたケーブル６を気密的に導出すると共に、このケーブル６の外周を耐蝕耐熱外皮７で覆い、このケーブル６先端に設けられたコネクタ８を気密的なキャップ９で着脱自在に覆ったことである。
【考案の効果】
【０００６】
本考案は上述のように、カメラ３は前面の耐熱ガラス２と、耐蝕耐熱金属素材で形成された筐体１に覆われるので、カメラ部分は薬品と高温に晒される手術前の消毒にカメラが影響を受けることがなく、撮影時もカメラ３の前面は耐熱ガラス２なので、支障がない。また筐体１より導出される電源及び信号伝道用ケーブル６はその外周を耐蝕耐熱外皮で覆われているので、ケーブル部分も手術前の消毒に耐えることができて、繰り返しの使用が可能となり、更にケーブル末端のコネクタ８もキャップ９で気密的に覆われるので、コネクタ８の端子部分が消毒液等で影響を受けず、安全に使用できる。
【０００７】
しかも、消毒に当たっては、コネクタ８のキャップ９の着脱と、アーム５に装着する場合は、アーム等からの取り外しを加えて行うだけで簡単に消毒が行え、ケーブル６は巻くとコンパクトになり、小さな消毒室１２で効率良く消毒が行える。そして内視鏡の場合は、キャップ９を外してプラグ１７に接続するだけで、内視鏡として直ぐに使用ができ、ベッドサイドカメラとしてベッドサイドへ設置する場合も、アーム５等への保持と、コネクタ８のプラグ１７等への接続だけで簡単に使用に供することができることになる。
【考案を実施するための最良の形態】
【０００８】
図１は手術ベッド４の周辺の概略を示すもので、上方には天井カメラ１５、医師は必要な場合は内視鏡カメラ１６などを用い、図外モニターや画像記録装置等に接続される。ベッドサイドには直接クランプ１３でベッド４の適所に保持されたアーム５や、或いは懸架バー１４にクランプ１３で保持されたアーム５にベッドサイドカメラが設置される。
【０００９】
このベッドサイドカメラ或いは内視鏡カメラは、筐体１にカメラ３を収納して形成されるもので、筐体１はステンレスなど、耐蝕耐熱金属で構成され、カメラ３のレンズに対応する前面は耐熱ガラスで構成される前面ガラス２で覆われ、シリコンパッキング等で気密性が保持される。
【００１０】
筐体１からは、この筐体１と同質素材で形成された筒状の連出部１０よりケーブル６が連出される。ケーブル６は電源コード、信号ケーブルを含み、外方をフッ素樹脂のような耐熱耐蝕樹脂または、フレキシブル金属外皮等の耐熱耐蝕外皮７で覆われる。電源コードと信号ケーブルは、独立したものを束ねて耐熱耐蝕外皮７で被っても良いし、１本の中に電源コードと信号ケーブルを通したケーブル６であっても構わない。またケーブル６の先端には電源や受像機器のプラグ１７と接続するためのコネクタ８が装着されるが、このコネクタ８は消毒時は着脱自在なキャップ９で気密的に覆われる。１８はプラグ１７より連出されるケーブルである。更に、筐体１は、ベッドサイド補助カメラの場合は、連出部１０または別途形成される保持部１１をアーム５先端のクランパ１９で掴んで保持する。２０はクランパ１９の締付けネジである。２１はクリップで、ケーブル６の適所をアーム５に沿って保持させる。
【００１１】
アーム５は任意のタイプのフレキシブルタイプのものを使用することができ、保持部２２に挿入されたその末端は固定レバー２３をねじ込んでクランプ１３に保持される。２４、２５はクランプ１３をベッドサイドや懸架バー１４等にロックするための主、副クランプである。
【００１２】
（消毒方法）
病院医療用具の滅菌を行う主な方法は、（１）オートクレーブ、（２）電子線滅菌、（３）ガンマ線滅菌、（４）ＥＯＧ（エチレンオキサイドガス）、（５）プラズマ滅菌、（６）ヒビテン希釈液の薬品による消毒等が有るが、電子機器等の熱に弱い物の滅菌を行う場合はＥＯＧ、プラズマ滅菌、薬品による滅菌を選択することができる。薬品による消毒のみでは完全に滅菌を行えない為、医療用具の滅菌を行う事例は少なくなっていており、また、ＥＯＧは毒性が強く、残留ガス濃度の規制が有る為にＥＯＧ滅菌設備の使用頻度も減少してきていて、最近ではプラズマ滅菌が多い。
【００１３】
これらの消毒は図３のように、消毒室１２にプラグ１７より外され、コネクタ８の先端がキャップ９で気密的に覆われた状態で収容して行われる。消毒が済めば、内視鏡カメラの場合は、コネクタ８をプラグ１７等に接続すれば、使用することができる。補助カメラの場合は、アーム５に保持させ、コネクタ８をプラグ１７等に接続すれば、使用することができる。
【産業上の利用可能性】
【００１４】
手術に際して、手術の細かい所の映像を撮影するための内視鏡カメラ、ベッドサイド補助カメラを設置するに当たり、部品の分解は殆ど必要とせず、コネクタの着脱だけで良いため、事前の消毒、消毒後の組み付け・設置等が容易となり、煩わしさを軽減させて多くの手術で容易に詳細な部位の撮影に活用できる。
【図面の簡単な説明】
【００１５】
【図１】本考案の一実施例の概略観念図。
【図２】同上の要部の拡大斜視図。
【図３】同上の作用説明図。
【符号の説明】
【００１６】
１は筐体
２は耐熱ガラス
３はカメラ
４はベッド
５はアーム
６はケーブル
７は耐蝕耐熱外皮
８はコネクタ
９はキャップ
【図１】
0003144971.tif 000003
【図２】
0003144971.tif 000004
【図３】
0003144971.tif 000005